(57)【要約】【課題】外装部のデザインに適した表示コンテンツを表示部に表示する電子機器を提供する。【解決手段】腕時計１は本体部２と、本体部２と着脱可能に設置された第１図案ベルト７と、第１図案ベルト７を識別する識別回路１６と、表示コンテンツを表示する表示装置３と、表示装置３に表示する表示コンテンツを記憶するメモリーと、識別回路１６が識別した第１図案ベルト７に対応した表示コンテンツを表示装置３に表示させる表示制御部と、を備える。【選択図】図２
2017167088.tif 000002
【特許請求の範囲】
【請求項１】
本体部と、
前記本体部と着脱可能に設置された外装部と、
前記外装部を識別する識別部と、
表示コンテンツを表示する表示部と、
前記表示部に表示する表示コンテンツを記憶する記憶部と、
前記識別部が識別した前記外装部に対応した表示コンテンツを前記表示部に表示させる制御部と、を備えることを特徴とする電子機器。
【請求項２】
請求項１に記載の電子機器であって、
前記外装部は識別特徴部を備え、
前記識別部は前記識別特徴部を用いて前記外装部を識別することを特徴とする電子機器。
【請求項３】
請求項２に記載の電子機器であって、
前記識別特徴部は電気端子を有することを特徴とする電子機器。
【請求項４】
請求項２に記載の電子機器であって、
前記識別特徴部は識別信号を出力する第１アンテナを有し、
前記識別部は前記識別信号を入力する第２アンテナを有することを特徴とする電子機器。
【請求項５】
請求項４に記載の電子機器であって、
前記本体部と前記外装部との着脱を検出する着脱検出部を有し、
前記着脱検出部が前記本体部と前記外装部との接合を検出したときに前記識別部が前記識別信号の交信を行うことを特徴とする電子機器。
【請求項６】
請求項１〜５のいずれか一項に記載の電子機器であって、
前記表示コンテンツには現在時刻を示す情報が含まれることを特徴とする電子機器。
【発明の詳細な説明】
【技術分野】
【０００１】
本発明は、電子機器に関するものである。
【背景技術】
【０００２】
腕に設置して時刻や各種の情報、画像を表示部に表示する携帯型電子機器が広く用いられている。以降、画像を表示コンテンツと述べる。そして、表示コンテンツに工夫を凝らして各種機能を備える携帯型電子機器が開発されている。このように情報を表示する携帯型電子機器が特許文献１に開示されている。それによると、携帯型電子機器は時計としての機能を備えている。携帯型電子機器は情報を表示する本体部と本体部を手首に固定するベルトを備えている。そして、ベルトに電子回路を含むユニットが設置されている。
【０００３】
手首等に装着する携帯型電子機器はファッション性が高く、ファッションの一部として他人から見られやすいので、デザインに個性がある品物が好まれる。そして、同じデザインの携帯型電子機器を長期間身に着けていると陳腐化し飽きてしまい、デザインに変化が欲しくなることがある。また、表示部に表示コンテンツを表示するとき、ベルトのデザインと本体部に表示される表示コンテンツの印象を装着者の嗜好によって組み合わせることができれば、バリエーションが生じて陳腐化せずに使い続けることができる。
【先行技術文献】
【特許文献】
【０００４】
【特許文献１】特開平１１−１３３１６８号公報
【発明の概要】
【発明が解決しようとする課題】
【０００５】
特許文献１に記載の携帯型電子機器は本体部に表示部を備えている。そして、本体部とベルトとはばね棒により連結されている。従って、本体部とベルトとは着脱可能に設置されている。そして、本体部とベルトとの組み合わせを変更することができる。しかし、本体部は装着されたベルトを識別できないので、ベルトのデザインに合った表示コンテンツを表示部に表示することができなかった。そこで、ベルト等の外装部のデザインにマッチした表示コンテンツを表示部に表示することができる電子機器が望まれていた。
【課題を解決するための手段】
【０００６】
本発明は、上述の課題を解決するためになされたものであり、以下の形態または適用例として実現することが可能である。
【０００７】
［適用例１］
本適用例にかかる電子機器であって、本体部と、前記本体部と着脱可能に設置された外装部と、前記外装部を識別する識別部と、表示コンテンツを表示する表示部と、前記表示部に表示する表示コンテンツを記憶する記憶部と、前記識別部が識別した前記外装部に対応した表示コンテンツを前記表示部に表示させる制御部と、を備えることを特徴とする。
【０００８】
本適用例によれば、電子機器は本体部、外装部及び識別部を備えている。外装部は本体部と着脱可能になっており、識別部が外装部を識別する。さらに、電子機器は表示部、記憶部及び制御部を備えている。表示部は表示コンテンツを表示し、記憶部には表示部に表示する表示コンテンツが記憶されている。そして、識別部が識別した外装部のデザインに対応した表示コンテンツを制御部が表示部に表示させる。
【０００９】
外装部は本体部から外して付け直すことができる。このとき、デザインの異なる外装部を本体部に付け替えることができる。識別部はデザインの異なる複数の外装部の内どの外装部が本体部に設置されているかを識別する。記憶部には表示コンテンツが記憶されている。そして、識別部が識別した外装部に対応した表示コンテンツを制御部が記憶部から取り出して表示部に表示させる。従って、電子機器は外装部のデザインに適した表示コンテンツを表示部に表示することができる。
【００１０】
［適用例２］
上記適用例にかかる電子機器において、前記外装部は識別特徴部を備え、前記識別部は前記識別特徴部を用いて前記外装部を識別することを特徴とする。
【００１１】
本適用例によれば、外装部は識別特徴部を備えている。識別特徴部とは外装部毎に異なる特徴を有する部位である。そして、識別部は識別特徴部を用いて外装部を識別する。従って、識別部は確実に外装部を識別することができる。
【００１２】
［適用例３］
上記適用例にかかる電子機器において、前記識別特徴部は電気端子を有することを特徴とする。
【００１３】
本適用例によれば、識別特徴部は電気端子を有している。従って、識別部は電気端子に接続して電気的に外装部を識別する。従って、識別部は容易に外装部を識別することができる。
【００１４】
［適用例４］
上記適用例にかかる電子機器において、前記識別特徴部は識別信号を出力する第１アンテナを有し、前記識別部は前記識別信号を入力する第２アンテナを有することを特徴とする。
【００１５】
本適用例によれば、識別特徴部は第１アンテナを有しており、第１アンテナは識別信号を含む無線信号を出力する。そして、識別部は第２アンテナを有しており、第２アンテナは識別信号を含む無線信号を入力する。従って、識別部は非接触で外装部を識別することができる。
【００１６】
［適用例５］
上記適用例にかかる電子機器において、前記本体部と前記外装部との着脱を検出する着脱検出部を有し、前記着脱検出部が前記本体部と前記外装部との接合を検出したときに前記識別部が前記識別信号の交信を行うことを特徴とする。
【００１７】
本適用例によれば、本体部は着脱検出部を有し、着脱検出部は本体部と外装部との着脱を検出する。そして、本体部と外装部とが接合するときに識別部は識別信号の交信を行っている。従って、識別部と識別特徴部とが交信する回数を低減できる為、識別部と識別特徴部との交信で消費する電力を減らすことができる。
【００１８】
［適用例６］
上記適用例にかかる電子機器において、前記表示コンテンツには現在時刻を示す情報が含まれることを特徴とする。
【００１９】
本適用例によれば、表示コンテンツには現在時刻を示す情報が含まれている。従って、操作者は表示コンテンツを見て現在時刻を知ることができる。
【図面の簡単な説明】
【００２０】
【図１】第１の実施形態にかかわる腕時計の構成を示す模式平面図。
【図２】本体部と第１図案ベルトとの結合部を説明するための要部模式図。
【図３】識別回路の構成を説明するための要部模式側断面図。
【図４】腕時計の構成を示す模式平面図。
【図５】本体部と第２図案ベルトとの結合部を説明するための要部模式図。
【図６】第３図案ベルトの構成を示す要部模式平面図。
【図７】第４図案ベルトの構成を示す要部模式平面図。
【図８】第５図案ベルトの構成を示す要部模式平面図。
【図９】第６図案ベルトの構成を示す要部模式平面図。
【図１０】第７図案ベルトの構成を示す要部模式平面図。
【図１１】第８図案ベルトの構成を示す要部模式平面図。
【図１２】第９図案ベルトの構成を示す要部模式平面図。
【図１３】第１０図案ベルトの構成を示す要部模式平面図。
【図１４】腕時計の電気制御ブロック図。
【図１５】表示コンテンツ表示方法のフローチャート。
【図１６】第２の実施形態にかかわる腕時計の構成を示す模式平面図。
【図１７】本体部と第１図案ベルトとの結合部を説明するための要部模式図。
【図１８】識別信号発信部及び識別信号受信部の回路図。
【図１９】腕時計の電気制御ブロック図。
【図２０】表示コンテンツ表示方法のフローチャート。
【発明を実施するための形態】
【００２１】
以下、実施形態について図面に従って説明する。尚、各図面における各部材は、各図面上で認識可能な程度の大きさとするため、各部材毎に縮尺を異ならせて図示している。
【００２２】
（第１の実施形態）
本実施形態では、電子機器の一例である腕時計と、この腕時計のベルトを交換する方法との特徴的な例について、図に従って説明する。第１の実施形態にかかわる腕時計について図１〜図１５に従って説明する。図１は、腕時計の構成を示す模式平面図である。図１に示すように、電子機器としての腕時計１は本体部２を備え、本体部２には表示部としての表示装置３が設置されている。
【００２３】
表示装置３の表示方式は特に限定されず液晶表示体、有機ＥＬ（Ｅｌｅｃｔｒｏｌｕｍｉｎｅｓｃｅｎｃｅ）ディスプレイ、電気泳動ディスプレイ、ＭＥＭＳ（Ｍｉｃｒｏ  Ｅｌｅｃｔｒｏ  Ｍｅｃｈａｎｉｃａｌ  Ｓｙｓｔｅｍｓ）ディスプレイを用いることができる。表示装置３はアクティブマトリックス方式が好ましい。これにより表示装置３は高精細な表示ができる。表示装置３には表示コンテンツとしての第１画像４が表示され、第１画像４には現在時刻を示す情報４ａが含まれている。
【００２４】
本体部２の図中上側の側面には第１操作スイッチ５及び第２操作スイッチ６が設置されている。操作者は第１操作スイッチ５及び第２操作スイッチ６を操作して表示装置３の表示コンテンツを操作することができる。本体部２の図中右側の側面には第１ベルト７ａが設置され、本体部２の図中左側の側面には第２ベルト７ｂが設置されている。第２ベルト７ｂの図中左側の端には連結部８が設置されている。操作者は第１ベルト７ａの端を連結部８に固定することが可能になっている。そして、連結部８は第１ベルト７ａと第２ベルト７ｂとを連結する。
【００２５】
操作者は第１ベルト７ａ及び第２ベルト７ｂを操作者の手首に巻き付ける。そして、操作者は連結部８を操作して第１ベルト７ａと第２ベルト７ｂとを連結する。これにより、操作者は腕時計１を操作者の手首に固定することができる。第１ベルト７ａ及び第２ベルト７ｂには絵が描かれている。絵の内容は特に限定されないが本実施形態では、例えば、第１ベルト７ａ及び第２ベルト７ｂに山脈の絵が描かれている。第１ベルト７ａ及び第２ベルト７ｂにて構成されたベルトを外装部としての第１図案ベルト７とする。
【００２６】
そして、本体部２に第１図案ベルト７が設置されるとき、表示装置３に表示される第１画像４は例えば山脈の絵が表示される。そして、第１画像４は第１図案ベルト７に対応した表示コンテンツであり、第１図案ベルト７に描かれた絵と適合した表示コンテンツになっている。
【００２７】
図２は本体部と第１図案ベルトとの結合部を説明するための要部模式図である。図２に示すように、本体部２の図中右側の側面には一対の突起物が突出している。この突起物をラグ９と称す。そして、一対のラグ９の間に第１図案ベルト７の端が設置されている。一対のラグ９の間の第１図案ベルト７には第１図案ベルト７を図中上下方向に貫通する貫通孔が設置され、貫通孔にバネ棒１０が設置されている。バネ棒１０は内部にバネが設置され伸縮可能になっている。ラグ９は第１図案ベルト７を向く面に孔が設置されている。バネ棒１０を第１図案ベルト７の貫通孔に通して、バネ棒１０の両端をラグ９の孔に挿入する。このように、バネ棒１０を操作して第１図案ベルト７を本体部２のラグ９に着脱可能に設置することができる。
【００２８】
第１ベルト７ａには第１端子１１、第２端子１２、第３端子１３及び第４端子１４が設置されている。第１端子１１、第２端子１２、第３端子１３及び第４端子１４は第１ベルト７ａの側面に露出しており電気端子に相当する。第１端子１１と第２端子１２とが配線１５により接続されている。第３端子１３及び第４端子１４は孤立した端子になっている。
【００２９】
本体部２の内部には識別部としての識別回路１６が設置されている。識別回路１６は第１端子１１、第２端子１２、第３端子１３及び第４端子１４の各端子の接続状態を検出する回路である。識別回路１６は各端子間の短絡、非短絡の状態を検出する。第１図案ベルト７等のベルトが複数用意されている。そして、各ベルトは種類毎に各端子間の短絡、非短絡の状態が異なっている。従って、識別回路１６は各端子間の短絡、非短絡の状態を検出することにより本体部２に設置されたベルトの種類を識別することができる。そして、第１端子１１、第２端子１２、第３端子１３及び第４端子１４及び配線１５が各ベルトを識別回路１６に識別させる識別特徴部に相当する。従って、識別特徴部は電気端子を有している。そして、識別回路１６は第１端子１１〜第４端子１４を用いて第１図案ベルト７を識別する。
【００３０】
図３は識別回路の構成を説明するための要部模式側断面図である。図３に示すように、本体部２において第１ベルト７ａ側を向く側面２ａには側面２ａと直交する方向を軸とする孔２ｂが設置されている。孔２ｂは４か所設置され、各孔２ｂは第１端子１１、第２端子１２、第３端子１３及び第４端子１４と対向する場所に位置している。本体部２の内部には空洞２ｃが設置され、孔２ｂは空洞２ｃと連通する。各孔２ｂ及び空洞２ｃには円板と棒とが同じ軸にて接合された接点部１７が設置されている。本体部２には４つの接点部１７が設置されている。各接点部１７の棒状の部分は各孔２ｂに挿入され、接点部１７の棒状の部分と孔２ｂとの間にはパッキン１８が設置されている。
【００３１】
各接点部１７は各孔２ｂの軸に沿って移動可能になっている。パッキン１８は本体部２の内部に水が浸入することを防止する。空洞２ｃにはコイルばね２１が設置され、コイルばね２１は接点部１７を第１ベルト７ａに向けて付勢する。これにより、各接点部１７はそれぞれ第１端子１１、第２端子１２、第３端子１３及び第４端子１４と接触する。
【００３２】
接点部１７には図中左側にのびる片持ち梁状の導電バネ２２が設置されている。本体部２の内部には識別回路１６が設置され、識別回路１６には４つの端子１６ａが設置されている。そして、導電バネ２２は端子１６ａを押圧しながら摺動する。第１端子１１、第２端子１２、第３端子１３、第４端子１４、接点部１７、導電バネ２２、端子１６ａは導電性のある金属で形成されている。従って、識別回路１６は第１端子１１、第２端子１２、第３端子１３及び第４端子１４間の電気抵抗を検出することができる。そして、識別回路１６は接点部１７を介して第１端子１１〜第４端子１４の各端子間の短絡、非短絡の状態を検出する。
【００３３】
図４は腕時計の構成を示す模式平面図である。電子機器としての腕時計２３は本体部２に外装部としての第２図案ベルト２４を設置した例を示している。第２図案ベルト２４は草原の絵が描画されたベルトである。第２図案ベルト２４は第１ベルト２４ａ及び第２ベルト２４ｂを備えている。本体部２の図中右側の側面には第１ベルト２４ａが設置され、本体部２の図中左側の側面には第２ベルト２４ｂが設置されている。表示装置３には第２画像２５が表示されている。そして、第２画像２５には現在時刻を示す情報２５ａが含まれている。
【００３４】
そして、本体部２に第２図案ベルト２４が設置されるとき、表示装置３に表示される第２画像２５は例えば草原の絵が表示される。そして、第２画像２５は第２図案ベルト２４に対応し、第２図案ベルト２４に描かれた絵と適合した表示コンテンツになっている。
【００３５】
図５は本体部と第２図案ベルトとの結合部を説明するための要部模式図である。図５に示すように、第１ベルト２４ａには第１端子１１、第２端子１２、第３端子１３及び第４端子１４が設置されている。第１端子１１と第３端子１３とが配線１５により接続されている。第２端子１２及び第４端子１４は孤立した端子になっている。識別回路１６は各端子間の短絡、非短絡の状態を検出する。そして、識別回路１６は本体部２に第２図案ベルト２４が接続されていることを識別する。
【００３６】
図６は第３図案ベルトの構成を示す要部模式平面図である。図６に示すように、外装部としての第３図案ベルト２６は第１端子１１と第４端子１４とが配線１５により接続されている。第２端子１２及び第３端子１３は孤立した端子になっている。本体部２に第３図案ベルト２６が設置されるとき、識別回路１６は本体部２に第３図案ベルト２６が接続されていることを識別する。
【００３７】
図７は第４図案ベルトの構成を示す要部模式平面図である。図７に示すように、外装部としての第４図案ベルト２７は第１端子１１、第２端子１２及び第３端子１３が配線１５により接続されている。第４端子１４は孤立した端子になっている。本体部２に第４図案ベルト２７が設置されるとき、識別回路１６は本体部２に第４図案ベルト２７が接続されていることを識別する。
【００３８】
図８は第５図案ベルトの構成を示す要部模式平面図である。図８に示すように、外装部としての第５図案ベルト２８は第１端子１１、第２端子１２及び第４端子１４が配線１５により接続されている。第３端子１３は孤立した端子になっている。本体部２に第５図案ベルト２８が設置されるとき、識別回路１６は本体部２に第５図案ベルト２８が接続されていることを識別する。
【００３９】
図９は第６図案ベルトの構成を示す要部模式平面図である。図９に示すように、外装部としての第６図案ベルト２９は第１端子１１、第２端子１２、第３端子１３及び第４端子１４が配線１５により接続されている。本体部２に第６図案ベルト２９が設置されるとき、識別回路１６は本体部２に第６図案ベルト２９が接続されていることを識別する。
【００４０】
図１０は第７図案ベルトの構成を示す要部模式平面図である。図１０に示すように、外装部としての第７図案ベルト３０は第２端子１２及び第３端子１３が配線１５により接続されている。第１端子１１及び第４端子１４は孤立した端子になっている。本体部２に第７図案ベルト３０が設置されるとき、識別回路１６は本体部２に第７図案ベルト３０が接続されていることを識別する。
【００４１】
図１１は第８図案ベルトの構成を示す要部模式平面図である。図１１に示すように、外装部としての第８図案ベルト３１は第２端子１２及び第４端子１４が配線１５により接続されている。第１端子１１及び第３端子１３は孤立した端子になっている。本体部２に第８図案ベルト３１が設置されるとき、識別回路１６は本体部２に第８図案ベルト３１が接続されていることを識別する。
【００４２】
図１２は第９図案ベルトの構成を示す要部模式平面図である。図１２に示すように、外装部としての第９図案ベルト３２は第２端子１２、第３端子１３及び第４端子１４が配線１５により接続されている。第１端子１１は孤立した端子になっている。本体部２に第９図案ベルト３２が設置されるとき、識別回路１６は本体部２に第９図案ベルト３２が接続されていることを識別する。
【００４３】
図１３は第１０図案ベルトの構成を示す要部模式平面図である。図１３に示すように、外装部としての第１０図案ベルト３３は第３端子１３及び第４端子１４が配線１５により接続されている。第１端子１１及び第２端子１２は孤立した端子になっている。本体部２に第１０図案ベルト３３が設置されるとき、識別回路１６は本体部２に第１０図案ベルト３３が接続されていることを識別する。
【００４４】
第１図案ベルト７〜第１０図案ベルト３３は第１端子１１、第２端子１２、第３端子１３及び第４端子１４を備え、各ベルトは各端子間の短絡、非短絡の状態がそれぞれ異なっている。そして、識別回路１６は各端子間の短絡、非短絡の状態を検出することにより、識別回路１６は本体部２に接続されているベルトが第１図案ベルト７〜第１０図案ベルト３３のどのベルトであるかを識別する。つまり、識別回路１６は第１端子１１、第２端子１２、第３端子１３及び第４端子１４を用いてベルトを識別する。
【００４５】
図１４は、腕時計の電気制御ブロック図である。図１４において、腕時計１は腕時計１を制御する制御装置３４を備えている。そして、制御装置３４はプロセッサーとして各種の演算処理を行うＣＰＵ３５（中央演算処理装置）と、各種情報を記憶する記憶部としてのメモリー３６とを備えている。さらに、表示装置３、第１操作スイッチ５、第２操作スイッチ６及び識別回路１６が入出力インターフェイス３７及びデータバス３８を介してＣＰＵ３５に接続されている。
【００４６】
表示装置３は第１画像４や第２画像２５等の表示コンテンツを表示する。第１画像４には現在時刻を示す情報４ａが表示され、第２画像２５には現在時刻を示す情報２５ａが表示される。
【００４７】
第１操作スイッチ５及び第２操作スイッチ６は操作者が腕時計１を操作するときの入力手段である。操作者は第１操作スイッチ５及び第２操作スイッチ６を操作して、表示装置３に表示される内容を切り替える作業を行う。
【００４８】
識別回路１６は４つの接点部１７を備え、各接点部１７がベルトに設置された第１端子１１、第２端子１２、第３端子１３及び第４端子１４と接触する。そして、識別回路１６は各端子間の短絡、非短絡の状態を検出する。そして、識別回路１６は本体部２に接続されているベルトが第１図案ベルト７〜第１０図案ベルト３３のどのベルトであるかを識別する。そして、第１図案ベルト７〜第１０図案ベルト３３に対応する識別番号をＣＰＵ３５に出力する。各ベルトでは第１端子１１、第２端子１２、第３端子１３及び第４端子１４の内少なくとも一対の端子が配線１５により短絡されている。本体部２にベルトが設置されていないとき、４つの接点部１７間の抵抗が判定値より高くなる。識別回路１６は４つの接点部１７間の抵抗が判定値より高いとき、本体部２にベルトが設置されていないことを示す識別番号をＣＰＵ３５に出力する。
【００４９】
メモリー３６は、ＲＡＭ、ＲＯＭ等といった半導体メモリーを含む概念である。機能的には、腕時計１の動作の制御手順が記述されたプログラムソフト４１を記憶する記憶領域が設定される。他にも、ベルトの識別番号と表示装置３に表示する表示コンテンツの番号との対応表を示す外装識別データ４２を記憶するための記憶領域が設定される。他にも、現在時刻のデータである時刻データ４３を記憶するための記憶領域が設定される。さらに、表示装置３に表示する表示コンテンツのデータである画像データ４４を記憶するための記憶領域が設定される。他にも、ＣＰＵ３５のためのワークエリアやテンポラリーファイル等として機能する記憶領域やその他各種の記憶領域が設定される。
【００５０】
ＣＰＵ３５は、メモリー３６内に記憶されたプログラムソフト４１に従って、表示装置３に表示コンテンツ及び現在時刻を表示する制御を行うものである。具体的な機能実現部としてＣＰＵ３５は外装識別演算部４５を有する。外装識別演算部４５は識別回路１６が出力する識別番号のデータを入力する。そして、メモリー３６に記憶された画像データ４４から表示装置３に表示する画像データ４４を選択する。
【００５１】
他にも、ＣＰＵ３５は時刻演算部４６を有する。時刻演算部４６は１秒毎に現在時刻を演算して時刻データ４３を出力する。そして、時刻データ４３をメモリー３６に記憶する。
【００５２】
他にも、ＣＰＵ３５は表示制御部４７を有する。時刻演算部４６は時刻データ４３を表示制御部４７にも出力する。表示制御部４７は識別回路１６が識別したバンドに対応した表示コンテンツを表示装置３に表示させる。まず、表示制御部４７は外装識別演算部４５が選択した画像データ４４をメモリー３６から入力する。そして、画像データ４４に現在時刻を示す表示コンテンツを合成する。次に、合成した画像データ４４を表示装置３に出力する。表示装置３は現在時刻を合成した画像データ４４を入力して表示する。外装識別演算部４５及び表示制御部４７が制御部に相当する。
【００５３】
他にも、ＣＰＵ３５は操作スイッチ演算部４８を有する。操作スイッチ演算部４８は第１操作スイッチ５及び第２操作スイッチ６が押されているか否かの判定をする。そして、第１操作スイッチ５の状態と第２操作スイッチ６の状態との組み合わせで表示装置３に表示する内容を変える。例えば、操作スイッチ演算部４８は現在時刻の表示形式を変更する。他にも、操作スイッチ演算部４８は現在時刻を進めたり遅らせる操作を行う。
【００５４】
尚、本実施形態では、上記の各機能がＣＰＵ３５を用いてプログラムソフトで実現することとしたが、上記の各機能がＣＰＵ３５を用いない単独の電子回路によって実現できる場合には、そのような電子回路を用いることも可能である。
【００５５】
次に上述した腕時計１が設置されるベルトに対応して表示装置３に表示する表示コンテンツを変更する方法について説明する。図１５は、表示コンテンツ表示方法のフローチャートである。図１５において、ステップＳ１はバンド設置工程である。この工程では操作者がバンドを付け替える。まず、操作者はバンドを本体部２から外す。このとき、各接点部１７間の電気抵抗が大きくなるので識別回路１６は本体部２にバンドが設置されていないことを検出する。そして、識別回路１６はバンドが未設置である情報を外装識別演算部４５に出力する。
【００５６】
外装識別演算部４５は画像データ４４の中からバンドが未設置であることを示す表示コンテンツを選択する。次に、選択した表示コンテンツに現在時刻を示す表示コンテンツを合成して表示装置３に出力する。表示装置３はバンドが未設置であることを示す表示コンテンツ及び現在時刻を表示する。次に、操作者は第１図案ベルト７〜第１０図案ベルト３３の中から１つを選択して本体部２に設置する。
【００５７】
ステップＳ２はバンド識別工程である。この工程では本体部２に設置されたバンドが第１図案ベルト７〜第１０図案ベルト３３の中のどのベルトであるかを識別回路１６が識別する。例えば、第１図案ベルト７を本体部２に設置するときの例を説明する。第１端子１１〜第４端子１４にはそれぞれ識別回路１６の４つの接点部１７が押圧される。そして、識別回路１６は各端子間の電気抵抗を検出する。第１図案ベルト７では第１端子１１と第２端子１２との間の電気抵抗が低く。他の端子の組合せは電気抵抗が高くなっている。識別回路１６はこの条件から本体部２に設置されたベルトが第１図案ベルト７であることを検出する。そして、識別回路１６は外装識別演算部４５に本体部２に設置されたベルトが第１図案ベルト７であることを示す信号を出力する。
【００５８】
ステップＳ３は画像表示工程である。この工程では表示装置３が第１画像４を表示する工程である。まず、外装識別演算部４５が識別回路１６から本体部２に設置されたベルトが第１図案ベルト７であることを示す信号を入力する。次に、外装識別演算部４５はメモリー３６に記憶された画像データ４４の中から第１図案ベルト７に対応する表示コンテンツである第１画像４のデータを検索する。そして、外装識別演算部４５は第１画像４のデータを表示制御部４７に出力する。
【００５９】
表示制御部４７は第１画像４のデータを入力する。そして、表示制御部４７は第１画像４に現在時刻を示す表示コンテンツを合成する。次に、合成した画像データ４４を表示装置３に出力する。表示装置３は現在時刻を合成した画像データ４４を入力して表示する。
【００６０】
ステップＳ４は時刻表示工程である。この工程では第１画像４とともに表示される現在時刻を示す情報４ａを更新する工程である。時刻演算部４６が現在時刻を演算する。そして、表示制御部４７は第１画像４に現在時刻を示す表示コンテンツを合成する。次に、合成した画像データ４４を表示装置３に出力する。表示装置３は現在時刻を合成した画像データ４４を入力して表示する。
【００６１】
ステップＳ４は操作者が第１操作スイッチ５または第２操作スイッチ６を操作するまで継続される。または、操作者が第１図案ベルト７を本体部２から外すまで継続される。以上の工程により腕時計１が設置されるベルトに対応して表示装置３に表示する表示コンテンツを変更する工程を終了する。
【００６２】
上述したように、本実施形態によれば、以下の効果を有する。
（１）本実施形態によれば、腕時計１は本体部２、第１図案ベルト７及び識別回路１６を備えている。第１図案ベルト７は本体部２と着脱可能に設置されている。識別回路１６が第１図案ベルト７を識別する。さらに、腕時計１は表示装置３、メモリー３６、外装識別演算部４５及び表示制御部４７を備えている。表示装置３は第１画像４を表示し、メモリー３６には表示装置３に表示する第１画像４が記憶されている。そして、識別回路１６が識別した第１図案ベルト７に対応した第１画像４を外装識別演算部４５が検索して表示制御部４７が表示装置３に表示させる。
【００６３】
操作者は第１図案ベルト７を本体部２から外して他のベルトに付け直すことができる。そして、デザインの異なるベルトを本体部２に付け替えることができる。識別回路１６はデザインの異なる複数のベルトの内どのベルトが本体部２に設置されているかを識別する。メモリー３６には各ベルトに対応する画像データ４４が記憶されている。そして、識別回路１６が識別した第１図案ベルト７に対応した表示コンテンツを外装識別演算部４５がメモリー３６から取り出して表示制御部４７が表示装置３に表示させる。従って、腕時計１は第１図案ベルト７〜第１０図案ベルト３３に適した表示コンテンツを表示装置３に表示することができる。
【００６４】
（２）本実施形態によれば、第１図案ベルト７〜第１０図案ベルト３３はそれぞれ第１端子１１〜第４端子１４を備えている。第１端子１１〜第４端子１４はベルト毎に異なるパターンに配線された配線１５を有している。そして、識別回路１６は第１端子１１〜第４端子１４を用いて第１図案ベルト７〜第１０図案ベルト３３を識別する。従って、識別回路１６は確実に第１図案ベルト７〜第１０図案ベルト３３を識別することができる。
【００６５】
（３）本実施形態によれば、第１図案ベルト７〜第１０図案ベルト３３は第１端子１１〜第４端子１４を有している。識別回路１６は第１端子１１〜第４端子１４に接続して電気的に第１図案ベルト７〜第１０図案ベルト３３を識別する。従って、識別回路１６は容易に第１図案ベルト７〜第１０図案ベルト３３を識別することができる。
【００６６】
（４）本実施形態によれば、表示装置３に表示される第１画像４には現在時刻を示す情報４ａが含まれている。第２画像２５にも現在時刻を示す情報２５ａが含まれている。従って、操作者は表示装置３に表示される表示コンテンツを見て現在時刻を知ることができる。
【００６７】
（第２の実施形態）
次に、腕時計の一実施形態について図１６〜図２０を用いて説明する。本実施形態が第１の実施形態と異なるところは、図２に示した識別回路１６が第１端子１１〜第４端子１４を用いてベルトを識別する方法に換えて本体部２とベルトとが無線通信を行う点にある。尚、第１の実施形態と同じ点については説明を省略する。
【００６８】
図１６は、腕時計の構成を示す模式平面図である。図１６に示すように、電子機器としての腕時計５１は本体部５２を備え、本体部５２には表示装置３が設置されている。本体部５２の図中右側の側面には第１ベルト５３ａが設置され、本体部５２の図中左側の側面には第２ベルト５３ｂが設置されている。第１ベルト５３ａ及び第２ベルト５３ｂには絵が描かれている。絵の内容は特に限定されないが本実施形態では、例えば、第１ベルト５３ａ及び第２ベルト５３ｂに山脈の絵が描かれている。第１ベルト５３ａ及び第２ベルト５３ｂにて構成されたベルトを外装部としての第１図案ベルト５３とする。腕時計５１においても第１図案ベルト５３〜第１０図案ベルトが用意されている。
【００６９】
そして、本体部５２に第１図案ベルト５３が設置されるとき、表示装置３に表示される第１画像４は例えば山脈の絵が表示される。そして、第１画像４は第１図案ベルト５３に対応し、第１図案ベルト５３に描かれた絵と適合した表示コンテンツになっている。また別の表示コンテンツとして、アニメーションや漫画、映画などに登場するキャラクターの画像や動画と、そのキャラクターと関連づける図案のベルトと組み合わせることで、ベルト図案のバリエーションにより複数の種類を用意し、それぞれベルトによって選択される表示コンテンツとの組み合わせによって、ベルトの交換で様々な表示コンテンツを楽しむことができる。
【００７０】
図１７は本体部と第１図案ベルトとの結合部を説明するための要部模式図である。図１７に示すように、第１ベルト５３ａには識別特徴部としての識別信号発信部５４が設置されている。識別信号発信部５４は第１図案ベルト５３に固有の識別信号を無線で発信する。識別信号の媒体は光や電波を用いることができる。本実施形態では、例えば、識別信号発信部５４は電波の識別信号を発信する。
【００７１】
本体部５２の内部には識別部としての識別信号受信部５５が設置されている。識別信号発信部５４が発信する識別信号を識別信号受信部５５が受信する。識別信号は各ベルトに固有の識別信号である。識別信号受信部５５は受信した識別信号から本体部５２に設置されたバンドを識別する。
【００７２】
本体部５２の内部には他にも着脱検出部５６が設置されている。着脱検出部５６は圧力センサーと圧力センサーと接続する接点部５６ａを備えている。接点部５６ａは第１ベルト５３ａに向かって本体部５２から突出している。そして、第１ベルト５３ａが本体部５２に設置されるとき、第１図案ベルト５３が接点部５６ａを押圧する。このとき、接点部５６ａに加わる荷重を着脱検出部５６の圧力センサーが検出する。このように、着脱検出部５６は本体部５２とベルトとの着脱を検出する。
【００７３】
図１８は識別信号発信部及び識別信号受信部の回路図である。図１８に示すように、識別信号受信部５５は識別信号受信回路５７及び第２アンテナ５８を備えている。識別信号受信回路５７には送信回路５９、受信回路６０及び切替回路６１が設置されている。切替回路６１には第２アンテナ５８、送信回路５９及び受信回路６０が配線にて接続されている。切替回路６１は第２アンテナ５８と送信回路５９とを接続する回路と第２アンテナ５８と受信回路６０を接続する回路とを切り替える。
【００７４】
切替回路６１は送信回路５９が出力する送信信号を第２アンテナ５８から出力する。そして、切替回路６１は第２アンテナ５８が受信した受信信号を受信回路６０に出力する。切替回路６１が回路を切り替えることにより、１つの第２アンテナ５８にて送信信号の出力と受信信号の入力とを行えるようになっている。
【００７５】
識別信号発信部５４は識別信号発信回路６２及び第１アンテナ６３を備えている。識別信号発信回路６２には電源回路６４、制御回路６５、記憶回路６６及び変調回路６７が設置されている。制御回路６５には電源回路６４、記憶回路６６及び変調回路６７が配線により接続されている。電源回路６４及び変調回路６７には第１アンテナ６３が配線により接続されている。
【００７６】
電源回路６４は第１アンテナ６３が受信する交流波形を直流に変えて蓄電する。そして、電源回路６４は電力を制御回路６５、記憶回路６６及び変調回路６７に供給する。記憶回路６６にはベルト毎に異なる識別信号の波形が記憶されている。制御回路６５は第１アンテナ６３が受信する交流波形が途絶えるタイミングに合わせて識別信号を記憶回路６６から入力して変調回路６７に出力する。変調回路６７は識別信号を第１アンテナ６３から出力できるように変調する。そして、第１アンテナ６３は識別信号を含む電波を出力する。
【００７７】
次に、識別信号受信部５５及び識別信号発信部５４の動作を説明する。まず、送信回路５９が交流波形を切替回路６１を通して第２アンテナ５８に出力する。第２アンテナ５８から出力される送信信号は交流波形であり所定の間隔をあけて間欠的に出力される。第２アンテナ５８から出力される交流波形の一部は第１アンテナ６３に受信される。
【００７８】
第１アンテナ６３に交流波形の電波が入力されるとき、交流波形は電源回路６４に入力される。電源回路６４は交流波形を整流して蓄電し、電力を制御回路６５、記憶回路６６及び変調回路６７に供給する。記憶回路６６には第１図案ベルト５３の識別信号の波形データが記憶されている。第１アンテナ６３に入力される交流波形が停止するとき、制御回路６５は記憶回路６６から識別信号の波形データを入力して変調回路６７に出力する。変調回路６７は識別信号の波形を変調して第１アンテナ６３に出力する。
【００７９】
第１アンテナ６３からは変調された識別信号を含む波形が出力される。第１アンテナ６３から出力される識別信号の波形の一部を第２アンテナ５８が入力する。第２アンテナ５８が受信した受信信号は切替回路６１を通過して受信回路６０に入力される。受信回路６０では受信信号を復調して識別信号の波形を得る。そして、受信回路６０は識別信号から本体部５２に設置されたベルトが第１図案ベルト５３であることを識別する。
【００８０】
図１９は、腕時計の電気制御ブロック図である。図１９において、腕時計５１は腕時計５１を制御する制御装置６８を備えている。そして、制御装置６８では着脱検出部５６及び識別信号受信部５５の識別信号受信回路５７が入出力インターフェイス３７及びデータバス３８を介してＣＰＵ３５に接続されている。
【００８１】
メモリー３６には腕時計５１の動作の制御手順が記述されたプログラムソフト７１を記憶する記憶領域が設定される。プログラムソフト７１における制御手順は識別信号受信部５５からベルトの識別信号を取得する手順になっている。
【００８２】
次に上述した腕時計５１が設置されるベルトに対応して表示装置３に表示する表示コンテンツを変更する方法について説明する。図２０は、表示コンテンツ表示方法のフローチャートである。図２０において、ステップＳ１のバンド設置工程の次に、ステップＳ１２のバンド識別工程が行われる。ステップＳ１２に続いてステップＳ３の画像表示工程、ステップＳ４の時刻表示工程が行われる。
【００８３】
ステップＳ１、ステップＳ３、ステップＳ４は第１の実施形態と同様であり、説明を省略してステップＳ１２の説明をする。この工程は本体部５２に設置されたバンドが第１図案ベルト５３〜第１０図案ベルトの中のどのベルトであるかを識別する工程である。ベルトが本体部５２に装着されるとき、接点部５６ａがベルトに押圧される。そして、接点部５６ａへの押圧を着脱検出部５６に設置された圧力センサーが検出する。
【００８４】
このように、着脱検出部５６は本体部５２とベルトとの着脱を検出する。次に、着脱検出部５６は外装識別演算部４５に本体部５２にベルトが設置されたことを示す信号を出力する。外装識別演算部４５は信号を受けて識別信号受信部５５に識別信号を検出する指示信号を出力する。識別信号受信部５５は第２アンテナ５８から送信信号の電波を発信する。
【００８５】
次に、識別信号発信部５４は第１アンテナ６３で送信信号の電波を受信する。続いて、識別信号発信部５４は第１アンテナ６３から識別信号の電波を発信する。次に、識別信号受信部５５は第２アンテナ５８で識別信号の電波を受信する。識別信号受信回路５７は識別信号から本体部５２に設置されたベルトが第１図案ベルト５３であることを検出し、外装識別演算部４５に出力する。このように着脱検出部５６が本体部５２とバンドとの接合を検出したときに識別信号受信部５５は識別信号の交信を行っている。
【００８６】
上述したように、本実施形態によれば、以下の効果を有する。
（１）本実施形態によれば、識別信号発信部５４は第１アンテナ６３を有しており、第１アンテナ６３は識別信号を含む電波信号を出力する。そして、識別信号受信部５５は第２アンテナ５８を有しており、第２アンテナ５８は識別信号を含む無線信号を入力する。従って、識別信号受信部５５は識別信号発信部５４により非接触でベルトを識別することができる。その結果、ベルトの表面が汚れても識別信号受信部５５はベルトを識別することができる。
【００８７】
（２）本実施形態によれば、着脱検出部５６は本体部５２とベルトとの着脱を検出する。そして、本体部５２とベルトとが接合するときに識別信号受信部５５は識別信号の交信を行っている。従って、識別信号受信部５５と識別信号発信部５４とが交信する回数を低減できる為、識別信号受信部５５と識別信号発信部５４との交信で消費する電力を減らすことができる。
【００８８】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、ベルトに第１端子１１〜第４端子１４の４つの端子が設置された。端子の個数が２つ及び３つでも良く、５つ以上でも良い。ベルトの種類の数に合わせて設置するのが良い。端子の個数が少ない方が生産性良くベルトを製造することができる。
【００８９】
（変形例２）
前記第１の実施形態では、ベルトを交換するときに表示装置３に表示する表示コンテンツを換えた。ベルト以外にも本体部２に本体部２の一部をカバーする外装を設置し、この外装を交換するときに表示装置３に表示する表示コンテンツを換えても良い。
【００９０】
（変形例３）
前記第１の実施形態では、表示装置３に静止画像を表示した。表示装置３にはベルトの絵と適合する動画を表示しても良い。
【００９１】
（変形例４）
前記第１の実施形態では、第１端子１１〜第４端子１４間の電気抵抗でベルトを識別した。第１端子１１〜第４端子１４の代わりに反射率の異なる反射面を設置し、識別回路１６の代わりに反射面の反射率を検出する装置を設置しても良い。このときにも、ベルトを識別することができる。他にも、ベルトの側面に凹凸をつけても良い。凹凸はベルトの種類毎に異なるパターンにする。そして、識別回路１６の代わりに凹凸のパターンを検出する装置を設置しても良い。このときにも、ベルトを識別することができる。変形例１〜変形例４の内容は前記第２の実施形態にも適用しても良い。
【００９２】
（変形例５）
前記第２の実施形態では、本体部５２に着脱検出部５６が設置された。着脱検出部５６を省略しても良い。そして、定期的に識別信号受信部５５を作動させて、本体部５２に設置されたベルトを識別しても良い。そして、ベルトに合わせて表示装置３に表示する表示コンテンツを換えても良い。着脱検出部５６を設置しないので、生産性良く腕時計５１を製造することができる。
【００９３】
（変形例６）
前記第２の実施形態では、簡易な手順で識別信号の交信を行った。識別信号を交信する通信プロトコルや通信方法は特に限定されず、Ｆｅｌｉｃａ（登録商標）、ＩＳＯ／ＩＥＣ１４４４３（ＭＩＦＡＲＥ）（登録商標）、ＩＳＯ／ＩＥＣ１８０９２、ＮＦＣＢｌｕｅｔｏｏｔｈ（登録商標）Ｈａｎｄｏｖｅｒ（登録商標）、ＴｒａｎｓｆｅｒＪｅｔ（登録商標）を用いても良い。信頼性の高い通信を行うことができる。
【符号の説明】
【００９４】
１，２３，５１…電子機器としての腕時計、２，５２…本体部、３…表示部としての表示装置、４…表示コンテンツとしての第１画像、７，５３…外装部としての第１図案ベルト、１１…識別特徴部及び電気端子としての第１端子、１２…識別特徴部及び電気端子としての第２端子、１３…識別特徴部及び電気端子としての第３端子、１４…識別特徴部及び電気端子としての第４端子、１５…識別特徴部としての配線、１６…識別部としての識別回路、２４…外装部としての第２図案ベルト、２６…外装部としての第３図案ベルト、２７…外装部としての第４図案ベルト、２８…外装部としての第５図案ベルト、２９…外装部としての第６図案ベルト、３０…外装部としての第７図案ベルト、３１…外装部としての第８図案ベルト、３２…外装部としての第９図案ベルト、３６…記憶部としてのメモリー、４５…制御部としての外装識別演算部、４７…制御部としての表示制御部、５４…識別特徴部としての識別信号発信部、５５…識別部としての識別信号受信部、５６…着脱検出部、５８…第２アンテナ、６３…第１アンテナ。
【図１】
2017167088.tif 000003
【図２】
2017167088.tif 000004
【図３】
2017167088.tif 000005
【図４】
2017167088.tif 000006
【図５】
2017167088.tif 000007
【図６】
2017167088.tif 000008
【図７】
2017167088.tif 000009
【図８】
2017167088.tif 000010
【図９】
2017167088.tif 000011
【図１０】
2017167088.tif 000012
【図１１】
2017167088.tif 000013
【図１２】
2017167088.tif 000014
【図１３】
2017167088.tif 000015
【図１４】
2017167088.tif 000016
【図１５】
2017167088.tif 000017
【図１６】
2017167088.tif 000018
【図１７】
2017167088.tif 000019
【図１８】
2017167088.tif 000020
【図１９】
2017167088.tif 000021
【図２０】
2017167088.tif 000022